(57)【要約】  本発明は、可搬デバイスに関し、この可搬デバイスは、小型寸法のデバイスの場合でさえ、基本３次元物体（２）の使用によって、固定位置での測定物体の記録画像データ量を増大させ、空間的に変動する表面反射率データ、即ち、双方向テクスチャ関数データ、及び実際の物体の多方向撮像を得るようにし、基本３次元物体（２）は、第１の照明ユニット（４）及び／又は光案内系（２１）の出口アパーチャを備え、倍増した、取得系上の撮像に寄与する光学要素（１１）及び／又は第２の照明ユニット（９）及び／又はカメラ／検出器型の取得要素及び／又は第３の照明ユニット（１２）と組み合わされる。これらは、基本３次元物体（２）に取り付けた可動アーム（７、８、１３）上に置くことによって行う。この原理は、小型可搬デバイスに使用可能であり、サンプルの環境からサンプルを抽出する必要なしに、表面の視覚的外観を現場で記録することを可能にする。【選択図】図１
2020501136.tif 000002
【特許請求の範囲】
【請求項１】
物体の形状を測定し、サンプル表面の空間的に変動する表面の反射率を測定するデバイスであって、基本３次元物体（２）は、サンプル（１）の測定表面（１．１）の上に置かれ、前記基本３次元物体（２）は、前記サンプル（１）に面する側に凹形に湾曲する少なくとも１つの凹形壁（３）を有し、前記デバイスは、少なくとも１つのカメラ又は検出器を含む取得系を更に備える、デバイスにおいて、前記デバイスは、枠（３０）、及び前記基本３次元物体（２）を回転駆動する第１のモータ（１６）を更に備え、前記モータ（１６）は、前記枠（３０）に取り付けられ、前記基本３次元物体（２）は、回転軸（６）を有する回転部品（１５）に接続し、前記回転部品（１５）は、前記第１のモータ（１６）のシャフトに直接接続されるか、又は他の部品により前記第１のモータ（１６）のシャフトに接続され、前記回転部品（１５）の回転軸（６）は、前記基本３次元物体（２）の前記凹形壁（３）、又は前記凹形壁（３）内に生成した開口を通過すること、並びに少なくとも１つの第１のアーム（７）は、前記取得系上で撮像を仲介する少なくとも２つの光学要素（１１）のセットを支持し、ミラー及び／又はレンズ及び／又は撮像バンドル及び／又はプリズムを備える前記光学要素（１１）は、前記基本３次元物体（２）又は前記基本３次元物体（２）に機械的に接続される他の部品に取り付けられ、前記光学要素（１１）が、前記基本３次元物体（２）と共に回転できるようにし、前記第１のアーム（７）は、前記基本３次元物体（２）又は前記基本３次元物体（２）に機械的に固定した他の部品に取り付けた少なくとも１つの第２のモータ（１７）にも機械的に接続され、前記基本３次元物体（２）に接続する基準座標系に対して前記第１のアーム（７）の運動を個々に駆動することを特徴とする、デバイス。
【請求項２】
前記アーム（７）は、前記サンプル（１）を照明する少なくとも２つの第２の照明ユニット（９）及び／又は第１の照明光案内系の少なくとも２つの出口アパーチャも支持することを特徴とする、請求項１に記載のデバイス。
【請求項３】
前記凹形壁（３）は、１つ又は複数の第２の照明光案内系（２１）の出口アパーチャを備え、前記第２の照明光案内系は、前記サンプル（１）を照明する第４の照明ユニット（２２）への入力に接続される、及び／又は前記凹形壁（３）は、前記サンプル（１）を照明する１つ又は複数の第１の照明ユニット（４）を備えることを特徴とする、請求項１又は２に記載のデバイス。
【請求項４】
前記第１のアーム（７）は、少なくとも２つのカメラ及び／又は少なくとも２つの検出器も支持することを特徴とする、請求項１〜３のいずれか一項に記載のデバイス。
【請求項５】
前記サンプル（１）を照明する少なくとも２つの第３の照明ユニット（１２）のセットを支持する少なくとも１つの第２のアーム（８）は、前記基本３次元物体（２）又は前記基本３次元物体（２）に機械的に接続した他の部品に取り付け、前記第２のアーム（８）は、前記基本３次元物体（２）又は前記基本３次元物体（２）に機械的に接続した他の部品に取り付けた少なくとも１つの第３のモータ（１８）に機械的に接続され、前記基本３次元物体（２）に接続する基準座標系に対して前記第２のアーム（８）の運動を個々に駆動することを特徴とする、請求項１〜４のいずれか一項に記載のデバイス。
【請求項６】
少なくとも２つの相互分離取得要素（１４）のセットを支持する少なくとも１つの第３のアーム（１３）は、前記基本３次元物体（２）又は前記基本３次元物体（２）に機械的に接続した他の部品に取り付けられ、前記取得要素（１４）は、少なくとも１つの検出器及び／又は少なくとも１つのカメラを含み、前記第３のアーム（１３）は、前記基本３次元物体（２）又は前記基本３次元物体（２）に機械的に接続した他の部品に取り付けた少なくとも１つの第４のモータ（１９）に機械的に接続され、前記基本３次元物体（２）に接続する基準座標系に対して前記第３のアーム（１３）の運動を個々に駆動することを特徴とする、請求項１〜５のいずれか一項に記載のデバイス。
【請求項７】
前記サンプル（１）を照明する前記第１の照明ユニット（４）及び／又は前記サンプル（１）を照明する前記第４の照明ユニット（２２）は、前記第１の照明ユニット（４）及び／又は前記第４の照明ユニット（２２）を個々に及び／又は群で制御する制御ユニット（２０）に個々に及び／又は群で電気的に接続され、カメラ及び／又は検出器は、照明と反射光の取得とを同期するため、前記制御ユニット（２０）に同時に接続されることを特徴とする、請求項３〜６のいずれか一項に記載のデバイス。
【請求項８】
前記サンプル（１）を照明する前記第２の照明ユニット（９）は、前記第２の照明ユニット（９）を個々に及び／又は群で制御するため、前記制御ユニット（２０）に個々に及び／又は群で電気的に接続されることを特徴とする、請求項２〜７のいずれか一項に記載のデバイス。
【請求項９】
前記サンプル（１）を照明する前記第３の照明ユニット（１２）は、前記第３の照明ユニット（１２）を個々に及び／又は群で制御するため、前記制御ユニット（２０）に個々に及び／又は群で電気的に接続されることを特徴とする、請求項５〜８のいずれか一項に記載のデバイス。
【請求項１０】
前記第１のモータ（１６）及び前記第２のモータ（１７）は、照明と、前記サンプル（１）からの反射光の取得と、前記基本３次元物体（２）の運動と、前記第１のアーム（７）の運動とを同期するため、前記制御ユニット（２０）に電気的に接続されることを特徴とする、請求項１〜９のいずれか一項に記載のデバイス。
【請求項１１】
前記第３のモータ（１８）は、照明と、前記サンプル（１）からの反射光の取得と、前記基本３次元物体（２）の運動と、前記第２のアーム（８）の運動とを同期するため、前記制御ユニット（２０）に電気的に接続されることを特徴とする、請求項５〜１０のいずれか一項に記載のデバイス。
【請求項１２】
前記第４のモータ（１９）は、照明と、前記サンプル（１）からの反射光の取得と、前記基本３次元物体（２）の運動と、前記第３のアーム（１３）の運動とを同期するため、前記制御ユニット（２０）に電気的に接続されることを特徴とする、請求項６〜１１のいずれか一項に記載のデバイス。
【請求項１３】
前記デバイスは、固定サンプルの周囲から前記サンプルを抽出することを必要とせずに、前記固定サンプルの現場での測定を可能にすることを特徴とする、請求項１〜１２のいずれか一項に記載のデバイス。
【発明の詳細な説明】
【技術分野】
【０００１】
説明するデバイスの技術設計及びデバイスの測定原理は、技術的光学機器の分野に分類することができ、この技術的光学機器は、サンプルの非接触光学撮像を使用し、デジタル産業、コンピュータ・ビジョン、材料の品質管理、及び材料の外観を特徴付けることが必要な全ての領域、例えば文化遺産人工物を保護する場合に適用される。様々な種類のサンプルからの光学的記録及びデータ再構成を使用すると、実際の物体の表現を３Ｄ仮想現実内に生成することが可能である。
【背景技術】
【０００２】
実世界における物体表面の外観は、従来、画像を通じて知覚され、これらの画像は、人間の目を含め、使用する光学系の解像度によって与えられる物体の表面にわたる観察方向、照明方向、並びに光のスペクトル及び空間分布に応じて異なる。コンピュータ・グラフィックスの目標は、物体が実世界で知覚されるのと同じように物体の外観を達成する仮想世界を生成することである。仮想現実では、この世界は、表面外観の適切な表現を含む３Ｄ物体として表される。表面構造の外観の高忠実度を達成するために使用する方法の１つは、双方向テクスチャ関数（ＢＴＦ）法である。この方法は、出版物、Ｋ．Ｊ．Ｄａｎａほか著、「Ｒｅｆｌｅｃｔａｎｃｅ  ａｎｄ  Ｔｅｘｔｕｒｅ  ｏｆ  Ｒｅａｌ−ｗｏｒｌｄ  Ｓｕｒｆａｃｅｓ」、１９９９年出版、ＡＣＭ  Ｔｒａｎｓａｃｔｉｏｎｓ  ｏｎ  Ｇｒａｐｈｉｃｓ、１８巻、１号、１〜３４頁（非特許文献１）に紹介されている。物体表面の外観は、ここでは、照明方向と取得方向との様々な組合せで撮影した一群の数千の画像として表される。ＢＴＦデータの取得は、典型的には、時間を要する工程であり、個々のＢＴＦ画像に対して選択した方向、空間及びスペクトル解像度によっては数時間又は数日さえかかる。
【０００３】
サンプルの照明方向とサンプルからのデータ取得方向との様々な組合せを用い、可能な最も短い時間で十分な数の画像を得るという問題は、世界中の他の場所で様々な方法で解決されている。
【０００４】
例えば、出版物、Ｇ．Ｍｕｌｌｅｒほか著、「Ｒａｐｉｄ  ｓｙｎｃｈｒｏｎｏｕｓ  ａｃｑｕｉｓｉｔｉｏｎ  ｏｆ  ｇｅｏｍｅｔｒｙ  ａｎｄ  ＢＴＦ  ｆｏｒ  ｃｕｌｔｕｒａｌ  ｈｅｒｉｔａｇｅ  ａｒｔｅｆａｃｔｓ」、２００５年出版、６ｔｈ  Ｉｎｔｅｒｎａｔｉｏｎａｌ  Ｓｙｍｐｏｓｉｕｍ  ｏｎ  Ｖｉｒｔｕａｌ  Ｒｅａｌｉｔｙ，  Ａｒｃｈａｅｏｌｏｇｙ  ａｎｄ  Ｃｕｌｔｕｒａｌ  Ｈｅｒｉｔａｇｅ  （ＶＡＳＴ）巻、１３〜２０頁（非特許文献２）、又は出版物、Ｃ．Ｓｃｈｗａｒｔｚほか著、「Ｄｅｓｉｇｎ  ａｎｄ  Ｉｍｐｌｅｍｅｎｔａｔｉｏｎ  ｏｆ  Ｐｒａｃｔｉｃａｌ  Ｂｉｄｉｒｅｃｔｉｏｎａｌ  Ｔｅｘｔｕｒｅ  Ｆｕｎｃｔｉｏｎ  Ｍｅａｓｕｒｅｍｅｎｔ  Ｄｅｖｉｃｅｓ  Ｆｏｃｕｓｉｎｇ  ｏｎ  ｔｈｅ  Ｄｅｖｅｌｏｐｍｅｎｔｓ  ａｔ  ｔｈｅ  Ｕｎｉｖｅｒｓｉｔｙ  ｏｆ  Ｂｏｎｎ」、２０１４年出版、雑誌Ｓｅｎｓｏｒｓ、１４巻、５号、７７５３〜７８１９頁（非特許文献３）に示されているように、多数のサンプルの照明源及びサンプルの画像を取得する検出器を使用することによって、サンプルの十分な数の画像の取得に必要な時間を短縮する問題に対処する静置デバイスがある。しかし、そのようなデバイスは、デバイスの構造全体の機械的安定性を保証するため、静置式でかさばるものである。更に、そのようなデバイスでは、光源及び検出器の固定位置のために、サンプルの照明方向とサンプルからのデータ取得方向との組合せは、有限数でしか得ることができない。固定格子状光源及び画像センサを有するデバイスの場合、照明源又は画像センサは、球体上に互いに隣り合わせに配置することができるような個々の照明源又は画像センサのサイズによって、サンプルの相互照明方向及び／又はサンプルからのデータ取得方向の最小差がもたらされ、これらの方向に対する角度解像度は、光源及びセンサを置く球体の半径の増大によってのみ増大させることができる。このことは、有用性の観点から軽量が重要であるＢＴＦ測定用小型機器、即ち、可搬機器の構成にとって、照明方向とデータ取得方向との組合せに対する角度解像度の達成を著しく制限するものである。別の設計の可能性には、出版物、Ｃ．Ｓｃｈｗａｒｔｚほか著、「Ｄｏｍｅ  ＩＩ：  Ａ  Ｐａｒａｌｌｅｌｉｚｅｄ  ＢＴＦ  Ａｃｑｕｉｓｉｔｉｏｎ  Ｓｙｓｔｅｍ」、２０１３年６月出版、ｔｈｅ  Ｅｕｒｏｇｒａｐｈｉｃｓ  Ｗｏｒｋｓｈｏｐ  ｏｎ  Ｍａｔｅｒｉａｌ  Ａｐｐｅａｒａｎｃｅ  Ｍｏｄｅｌｌｉｎｇ：  Ｉｓｓｕｅｓ  ａｎｄ  Ａｃｑｕｉｓｉｔｉｏｎ（非特許文献４）に述べられているように、サンプルを運動させることを伴う。そのような方法は、サンプルがサンプルの環境に一体化している場合、現場で測定を行う可搬デバイスを実施すると、抽出によりサンプルの配置に欠陥をもたらすため、そのような可搬デバイスの実施には、全く不適当である。
【０００５】
例えば、出版物、Ｙ．Ｊ．Ｈａｎ及びＫ．Ｐｅｒｌｉｎ著、「Ｍｅａｓｕｒｉｎｇ  ｂｉｄｉｒｅｃｔｉｏｎａｌ  ｔｅｘｔｕｒｅ  ｒｅｆｌｅｃｔａｎｃｅ  ｗｉｔｈ  ａ  ｋａｌｅｉｄｏｓｃｏｐｅ」、２００３年出版、雑誌ＡＣＭ  Ｔｒａｎｓａｃｔｉｏｎｓ  ｏｎ  Ｇｒａｐｈｉｃｓ、２２（３）号、７４１〜７４８頁（非特許文献５）、又は出版物、Ｊ．Ｆｉｌｉｐほか著、「Ｒａｐｉｄ  ｍａｔｅｒｉａｌ  ａｐｐｅａｒａｎｃｅ  ａｃｑｕｉｓｉｔｉｏｎ  ｕｓｉｎｇ  ｃｏｎｓｕｍｅｒ  ｈａｒｄｗａｒｅ」、２０１４年出版、雑誌Ｓｅｎｓｏｒｓ、１４（１０）号、１９７８５〜１９８０５頁（非特許文献６）に提示されるような、より小型のデバイスもある。それにもかかわらず、これらの解決策は、一般に、取得画像の空間解像度をかなり制限し、照明方向と取得方向との組合せをかなり少数にするものである。全体的な測定は、多数の画像取得が使用可能でなければ、非常に長時間かかるか、又は光学機器を倍増した場合、デバイスの個々の部品の運動がなければ、少数の限られた測定方向しか達成されない。
【０００６】
最近、Ｊ．Ｈｏｓｅｋ、Ｖ．Ｈａｖｒａｎほか著、「Ｒｅａｌｉｓａｔｉｏｎ  ｏｆ  Ｃｉｒｃｕｌａｒ  Ｍｏｔｉｏｎ  ｆｏｒ  Ｐｏｒｔａｂｌｅ  ＢＴＦ  Ｍｅａｓｕｒｅｍｅｎｔ  Ｉｎｓｔｒｕｍｅｎｔ」２０１５年、雑誌Ｔｈｅ  Ｒｏｍａｎｉａｎ  Ｒｅｖｉｅｗ  Ｐｒｅｃｉｓｉｏｎ  Ｍｅｃｈａｎｉｃｓ，  Ｏｐｔｉｃｓ  ＆  Ｍｅｃｈａｔｒｏｎｉｃｓ、４８号、２５２〜２５５頁（非特許文献７）が出版された。この機器は、球形表面に、ＬＥＤダイオード、いくつかのカメラを有する個々の可動アームを備える。カメラを有するアームの可動性により、機器のサイズを小さくすることを可能にするが、デバイスのサイズはカメラのサイズによって依然として制限されている。このデバイスにおける球形表面に固着した光源から来る照明方向と撮像方向との組合せは、特に、デバイス全体がより小型である場合、依然としてかなり制限され、これにより、アーム上に少数のカメラしか置くことが可能ではない。この場合、このことは、サンプルの照明方向とサンプルからのデータ取得方向との組合せに対する角度解像度の達成を低減する。
【先行技術文献】
【非特許文献】
【０００７】
【非特許文献１】Ｋ．Ｊ．Ｄａｎａほか著、「Ｒｅｆｌｅｃｔａｎｃｅ  ａｎｄ  Ｔｅｘｔｕｒｅ  ｏｆ  Ｒｅａｌ−ｗｏｒｌｄ  Ｓｕｒｆａｃｅｓ」、１９９９年出版、ＡＣＭ  Ｔｒａｎｓａｃｔｉｏｎｓ  ｏｎ  Ｇｒａｐｈｉｃｓ、１８巻、１号、１〜３４頁
【非特許文献２】Ｇ．Ｍｕｌｌｅｒほか著、「Ｒａｐｉｄ  ｓｙｎｃｈｒｏｎｏｕｓ  ａｃｑｕｉｓｉｔｉｏｎ  ｏｆ  ｇｅｏｍｅｔｒｙ  ａｎｄ  ＢＴＦ  ｆｏｒ  ｃｕｌｔｕｒａｌ  ｈｅｒｉｔａｇｅ  ａｒｔｅｆａｃｔｓ」、２００５年出版、６ｔｈ  Ｉｎｔｅｒｎａｔｉｏｎａｌ  Ｓｙｍｐｏｓｉｕｍ  ｏｎ  Ｖｉｒｔｕａｌ  Ｒｅａｌｉｔｙ，  Ａｒｃｈａｅｏｌｏｇｙ  ａｎｄ  Ｃｕｌｔｕｒａｌ  Ｈｅｒｉｔａｇｅ  （ＶＡＳＴ）巻、１３〜２０頁
【非特許文献３】Ｃ．Ｓｃｈｗａｒｔｚほか著、「Ｄｅｓｉｇｎ  ａｎｄ  Ｉｍｐｌｅｍｅｎｔａｔｉｏｎ  ｏｆ  Ｐｒａｃｔｉｃａｌ  Ｂｉｄｉｒｅｃｔｉｏｎａｌ  Ｔｅｘｔｕｒｅ  Ｆｕｎｃｔｉｏｎ  Ｍｅａｓｕｒｅｍｅｎｔ  Ｄｅｖｉｃｅｓ  Ｆｏｃｕｓｉｎｇ  ｏｎ  ｔｈｅ  Ｄｅｖｅｌｏｐｍｅｎｔｓ  ａｔ  ｔｈｅ  Ｕｎｉｖｅｒｓｉｔｙ  ｏｆ  Ｂｏｎｎ」、２０１４年出版、雑誌Ｓｅｎｓｏｒｓ、１４巻、５号、７７５３〜７８１９頁
【非特許文献４】Ｃ．Ｓｃｈｗａｒｔｚほか著、「Ｄｏｍｅ  ＩＩ：  Ａ  Ｐａｒａｌｌｅｌｉｚｅｄ  ＢＴＦ  Ａｃｑｕｉｓｉｔｉｏｎ  Ｓｙｓｔｅｍ」、２０１３年６月出版、ｔｈｅ  Ｅｕｒｏｇｒａｐｈｉｃｓ  Ｗｏｒｋｓｈｏｐ  ｏｎ  Ｍａｔｅｒｉａｌ  Ａｐｐｅａｒａｎｃｅ  Ｍｏｄｅｌｌｉｎｇ：  Ｉｓｓｕｅｓ  ａｎｄ  Ａｃｑｕｉｓｉｔｉｏｎ
【非特許文献５】Ｙ．Ｊ．Ｈａｎ及びＫ．Ｐｅｒｌｉｎ著、「Ｍｅａｓｕｒｉｎｇ  ｂｉｄｉｒｅｃｔｉｏｎａｌ  ｔｅｘｔｕｒｅ  ｒｅｆｌｅｃｔａｎｃｅ  ｗｉｔｈ  ａ  ｋａｌｅｉｄｏｓｃｏｐｅ」、２００３年出版、雑誌ＡＣＭ  Ｔｒａｎｓａｃｔｉｏｎｓ  ｏｎ  Ｇｒａｐｈｉｃｓ、２２（３）号、７４１〜７４８頁
【非特許文献６】Ｊ．Ｆｉｌｉｐほか著、「Ｒａｐｉｄ  ｍａｔｅｒｉａｌ  ａｐｐｅａｒａｎｃｅ  ａｃｑｕｉｓｉｔｉｏｎ  ｕｓｉｎｇ  ｃｏｎｓｕｍｅｒ  ｈａｒｄｗａｒｅ」、２０１４年出版、雑誌Ｓｅｎｓｏｒｓ、１４（１０）号、１９７８５〜１９８０５頁
【非特許文献７】Ｊ．Ｈｏｓｅｋ、Ｖ．Ｈａｖｒａｎほか著、「Ｒｅａｌｉｓａｔｉｏｎ  ｏｆ  Ｃｉｒｃｕｌａｒ  Ｍｏｔｉｏｎ  ｆｏｒ  Ｐｏｒｔａｂｌｅ  ＢＴＦ  Ｍｅａｓｕｒｅｍｅｎｔ  Ｉｎｓｔｒｕｍｅｎｔ」、２０１５年、雑誌Ｔｈｅ  Ｒｏｍａｎｉａｎ  Ｒｅｖｉｅｗ  Ｐｒｅｃｉｓｉｏｎ  Ｍｅｃｈａｎｉｃｓ，  Ｏｐｔｉｃｓ  ＆  Ｍｅｃｈａｔｒｏｎｉｃｓ、４８号、２５２〜２５５頁
【発明の概要】
【発明が解決しようとする課題】
【０００８】
説明する発明による解決策は、データ収集の遅さ、又は照明方向と取得方向と組合せが少数である収集データといった不十分さを除くものである。
【課題を解決するための手段】
【０００９】
本発明は、物体の形状を測定する可搬機器、及び可搬機器の双方向テクスチャ関数に関し、可搬機器においては、静置サンプルの測定表面上に基本３次元物体が置かれ、基本３次元物体は、サンプルに面する側に凹形に湾曲する少なくとも１つの凹形壁を有する。この凹形壁は、サンプルを照明する第１の照明ユニット、及び凹形壁を通り、基本３次元物体に交差する少なくとも１つの開口を備える。機器は、少なくとも１つのカメラ又は検出器を含む取得系も含む。デバイスの本質は、デバイスが枠も含み、この枠に取り付けられるのは、基本３次元物体を回転駆動する第１のモータであることである。基本３次元物体は、回転軸を有する回転部品に接続され、この回転部品は、第１のモータのシャフトに直接接続されるか、又は第１のモータのシャフトに他の部品により接続される。回転部品の回転軸は、基本３次元物体の凹形壁の少なくとも１つの開口を通過するか、又は基本３次元物体の凹形壁を直接通過する。取得系上で撮像に寄与する少なくとも２つの光学要素のセットを支持する少なくとも１つの第１のアームが、基本３次元物体又は基本３次元物体に機械的に接続する他の部品に取り付けられることも重要である。この第１のアームは、基本３次元物体又は基本３次元物体に機械的に接続した他の部品に取り付けた少なくとも１つの第２のモータに機械的に接続され、基本３次元物体に接続する基準座標系に対して第１のアームの運動を個々に駆動する。
【００１０】
第１のアームによって支持される取得系上の撮像に寄与する光学要素が、レンズ及び／又はミラー及び／又は撮像バンドル及び／又は光学プリズムを含む場合、有利である。
【００１１】
第１のアームが、サンプルを照明する少なくとも２つの第２の照明ユニット及び／又は第１の照明光案内系の少なくとも２つの出口アパーチャも支持する場合、有利である。
【００１２】
凹形壁が、１つ又は複数の第２の照明光案内系の出口アパーチャを備える一方で、これら第２の照明光案内系が、サンプルを照明する第４の照明ユニットに接続される、及び／又は凹形壁が、サンプルを照明する１つ又は複数の照明ユニットを備える場合も、有利である。
【００１３】
第１のアームが、少なくとも２つのカメラ及び／又は少なくとも２つの検出器を支持する場合も、有利である。
【００１４】
別の可能なバージョンでは、サンプルを照明する少なくとも２つの第３の照明ユニットのセットを支持する少なくとも１つの第２のアームは、基本３次元物体又は基本３次元物体に固着した部品に接続される。この第２のアームは、基本３次元物体又は基本３次元物体に固着した他の部品に接続した少なくとも１つの第３のモータに機械的に接続され、基本３次元物体に接続する基準座標系に対して第２のアームの運動を個々に駆動する。
【００１５】
別の好ましい実施形態では、少なくとも２つの相互分離取得要素のセットを支持する少なくとも１つの第３のアームは、基本３次元物体又は基本３次元物体に機械的に固着した部品に接続され、これらの取得要素は、少なくとも１つの検出器及び／又は少なくとも１つのカメラを含む。この第３のアームは、基本３次元物体又は基本３次元物体に機械的に固着した他の部品に取り付けた少なくとも１つの第４のモータに機械的に接続され、基本３次元物体に接続する基準座標系に対して第３のアームの運動を個々に駆動する。
【００１６】
サンプルを照明する第１の照明ユニット及び／又はサンプルを照明する第４の照明ユニットは、有利には、これらの第１の照明ユニット及び／又は第４の照明ユニットを個々に及び／又は群で制御する制御ユニットに個々に及び／又は群で電気的に接続される。カメラ及び／又は検出器も、照明と反射光の取得とを同期するため、この制御ユニットに接続される。
【００１７】
サンプルを照明する第２の照明ユニットも、有利には、これらの第２の照明ユニットを個々に及び／又は群で制御する制御ユニットに個々に及び／又は群で電気的に接続される。
【００１８】
別の有利なバージョンでは、サンプルを照明する第３の照明ユニットは、有利には、これらの第３の照明ユニットを個々に及び／又は群で制御する制御ユニットに個々に及び／又は群で電気的に接続される。
【００１９】
第１のモータ及び第２のモータが、照明と、サンプルからの反射光の取得と、基本３次元物体の運動と、第１のアームの運動とを同期するため、制御ユニットに電気的に接続される場合、有利である。
【００２０】
第３のモータが、照明と、サンプルからの反射光の取得と、基本３次元物体の運動と、第２のアームの運動とを同期するため、制御ユニットに電気的に接続される場合、有利である。
【００２１】
第４のモータが、照明と、サンプルからの反射光の取得と、基本３次元物体の運動と、第３のアームの運動とを同期するため、制御ユニットに電気的に接続されるバージョンも、有利である。
【００２２】
本発明の解決策の著しい利点は、本発明が、可搬デバイスを提供し、現場での測定を可能にし、サンプルの様々な照明方向及びデータ取得方向の十分な数の画像の取得に必要な時間を著しく短縮することである。多数の照明ユニット、検出器又はカメラ及び取得に寄与する要素のために可能であるため、デバイス内での照明方向とデータ取得方向との組合せのため、並びに選択した運動方向及び範囲でこれらの運動を制御することが可能であるために、サンプル照明方向とサンプルからのデータ取得方向との所与の数の組合せを記録する測定時間を短縮すること、及び／又は照明方向と取得方向との無限の組合せを達成することが可能である。このことは、基本３次元物体又は基本３次元物体に機械的に固着した他の部品に接続したアームの存在により達成され、この物体は、第２の照明光案内系のアパーチャ又は第１の照明ユニットを支持し、これらのアームは、基本３次元物体に対して個々の１つ又は複数の運動も実施し、取得に寄与する要素及び／又は検出器及び／又はカメラ及び／又は他の照明ユニットを支持する。したがって、小型サイズのデバイスでさえ、サンプルの照明方向とサンプルからのデータ取得方向との任意の組合せ（理論的には無数の相互に異なる取得画像）を得ることが可能である。
【００２３】
適切な光学系又は光学系の部品を第１の移動アーム上に配置することは、説明する発明では非常に重要である。この光学系は、移動アームから離れて位置するカメラ及び検出器上での撮像も実施する。この光学系は、群（撮像バンドル、ミラー、レンズ、プリズム）から選択した、取得系上の撮像に寄与する少なくとも１つの種類の要素も含む。同時に、第２の照明ユニット及び／又は第１の照明光案内系の出口アパーチャは、任意選択で、移動アーム上に位置する。このことは、カメラ又は検出器が有利には移動アームから離れて位置するため、カメラ又は検出器の物理的寸法によって制限されない超小型サイズの基本３次元物体を実装することを可能にする、及び／又は取得系上の撮像に寄与する要素の多数のアパーチャを第１のアーム上で使用することにより、照明方向と、一瞬で記録される取得方向との組合せの数を増大させることを可能にする。これらの要素は、検出器又はカメラの実際の寸法よりも小さな物理的寸法を有する。また、他の第２の照明ユニットを別の移動アーム上に置くことが可能であり、これにより、再度、基本３次元物体上への照明ユニットの設置によって与えられる値を上回って照明方向の組合せの数を増大させる。
【００２４】
デバイスの実施例を添付の図に示す。
【図面の簡単な説明】
【００２５】
【図１】超小型サンプルのための可搬デバイスの小型実施形態を示す図である。
【図２】アームの１つの運動範囲を示す図である。
【図３】サンプルのより大きな測定領域のためのデバイスの一例の図であり、取得系上の撮像に寄与する要素の出口アパーチャ、並びに更にはカメラ及び／又は検出器のアパーチャは、サンプルの中心部からより大きな距離を有する。
【図４】個々の要素の規則的な格子状アパーチャ内の第１の照明ユニットの分布の一例の図であり、基本３次元物体の領域にわたり、アパーチャに可変密度をもたらす。
【図５】アーム上で個々の要素のアパーチャが規則的な距離にある１つのアームの図、及び個々の要素のアパーチャが不規則な距離にある１つのアームの図である。
【図６】実装したデバイスの写真であり、概略図の参照符号に対応する実際の要素を示す。
【図７】サンプルに対する基本３次元物体の運動構成の２つの代替選択を示す図である。
【発明を実施するための形態】
【００２６】
同じ種類の要素が多数あることが多いので、明確にするため、図の一部では、参照番号は同じ種類の要素を全て示しはしない。
【００２７】
以下で説明する好ましい実施形態は、多くの実施形態の一部にすぎず、これらは、本発明の保護下にあり、本発明の概念を例示するものである。これらの実施形態は、選択した適切な構成にすぎず、本発明の保護の範囲を制限するものではない。
【００２８】
説明する解決策の本質は、可搬デバイスであり、この可搬デバイスは、照明源及び検出器の増倍により照明方向と取得方向とを組み合わせて、十分な数の画像の取得に必要な時間を短縮し、サンプルの照明方向とサンプルからのデータ取得方向との無数の組合せの達成を可能にする。このことは、デバイスの個々の部品、特に、基本３次元物体２の運動によって達成され、基本３次元物体２は、第２の光案内系２１の出口アパーチャ及び／又は第１の照明ユニット４並びに他の可能な要素を備え、この基本３次元物体２は、アーム７、８及び１３の運動によって回転運動を実施し、アーム７、８及び１３は、取得系上の撮像に寄与する光学要素１１、第２の照明ユニット９、第１の照明光案内系の出口アパーチャ、第３の照明ユニット１２又は更にはカメラ若しくは検出器を支持し、これらのアームは、基本３次元物体２に直接取り付けられるか、又は他の部品を通じて取り付けられ、この物体に対して更なる個々の運動若しくは運動の組合せを実施する。基本３次元物体２は、サンプル１の測定表面１．１の上に位置する。
【００２９】
アーム７、８及び１３上への組み付け、並びにアーム７、８及び１３に関連する要素に対するより詳細な説明は、以下の文章に示す。
【００３０】
簡潔にするため、適切な場合、個々のアーム上に位置する、取得系上で撮像に寄与する光学要素１１、第２の照明ユニット９、第１の照明光案内系の出口アパーチャ、第３の照明ユニット１２、及びカメラ又は検出器を、アーム上に位置する要素と呼ぶ。サンプルの照明及びサンプルからのデータ取得の最大方向解像度の達成を既に可能にしているアーム７、８及び１３のそれぞれの運動に必要な最小範囲は、比較的わずかであり、このことは、デバイスの構造の観点から大きな利点である。例えば、アーム上の要素が一列で線形的に配置される構成では、アーム７、８及び１３のそれぞれの十分な最小運動範囲は、所与の個々の運動方向で所与のアーム上に位置する２つの隣接要素の相互距離に対応する。このことは、サンプルの照明方向とサンプルからのデータ取得方向とのあらゆる相互の組合せの達成を可能にする。即ち、理論的には無数の相互に異なる画像の記録が可能である。アーム７、８及び１３上の要素の構成は、例えば、図５ｂに示すように、不規則及び／又は複数列であってもよい。しかし、原理は、依然として同じである。アーム７、８及び１３に対する不規則配置のための最大方向の差別化を達成するアームの運動範囲は、アームが一方の末端位置ともう一方の末端位置との間を移動する際、少なくとも、アームが、その運動方向で少なくともアーム上に位置する要素のアパーチャの中心の中間距離に対応する距離だけ移動するようなものでなければならない。
【００３１】
回転運動を実施する基本３次元物体２は、少なくとも１つの凹形壁３を有し、凹形壁３は、デバイスの動作中、サンプル１の測定表面１．１に面する。基本３次元物体２は、通常、半球又は半球の一部に近似的な形状を有するが、デバイスの機能のためにこの特定の形状は条件ではない。基本３次元物体２は、軸６回りに回転し、軸６は、基本３次元物体２の凹形壁３の少なくとも１つの開口を通過するか、又は基本３次元物体２の壁３を直接通過する。１つの好ましい実施形態では、３次元物体２は、回転対称であり、その回転軸６は、その対称回転軸と同じである。サンプル１が大部分は平面である場合、通常、軸６もサンプル１の測定表面１．１に対して直交する。
【００３２】
少なくとも１つの第１のアーム７は、より多くの要素１１が好ましいが、少なくとも２つの要素１１を支持し、基本３次元物体２又はこの物体に機械的に接続する部品に取り付けられ、要素１１は、取得系上での撮像に寄与する。取得系は、少なくとも１つのカメラ及び／又は少なくとも１つの検出器によって表される。取得系の要素は、アーム７上に位置するか、又はデバイスの他の部品上、例えば、移動基本物体２に固着した部品上、若しくは基本枠３０上にも位置し、光学要素１１は、カメラ／検出器の高感度表面上で測定表面の画像の転送を仲介する。取得系上の撮像に寄与する光学要素１１、及び第２の照明ユニット９及び／又は第１の照明光案内系の出口アパーチャを第１アーム７上に置くことができるように、ミラー、レンズ、撮像バンドル又はプリズムをアーム７に固着することができる。第１のアーム７上には、取得系上の撮像に寄与する一種の光学要素１１のみがあっても、様々な種類の光学要素１１の組合せがあってもよい。したがって、例えば、同じ第２の照明ユニット９のみ、又は別のバージョンでは、ミラーとレンズとの組合せ、又は両方の組合せ、又は更には他の組合せがあってもよい。第１のアーム７上に位置するレンズは、例えば、サンプル１の測定表面１．１を撮像バンドル上に反射するか、又は光学撮像系の別の部品の平行化バンドルを生成する。取得系上の撮像に寄与する光学要素１１に加えて、カメラ又は検出器も第１のアーム７上にあることができ、これにより、デバイス全体の光学機械構造を単純化することができる。
【００３３】
第４の照明ユニット２２は、移動基本物体２に固着した他の部品上、又は基本枠３０上に位置することもでき、そのように設置された照明ユニットからの光束は、第２の照明光案内系２１を使用して凹形壁３に案内され、第２の照明光案内系２１は、適切な光学系又は光学装置バンドルとすることができる。この構成は、より多数のサンプルの照明方向を提供し、第２の照明光案内系２１の出口アパーチャはより小さな寸法であるため、適切である。これら第２の照明光案内系２１の数及び第１の照明ユニット４の数は、相互協働において、十分な数の方向からサンプルの十分な照明が保証されるようなものである。本発明の一バージョンでは、凹形壁３上に、光案内系２１の出口アパーチャのみがあるか、第１の照明ユニット４のみがあるか、又はこれら２つの要素の組合せであってもよい。
【００３４】
１つの好ましい実施形態では、少なくとも１つの第２のアーム８は、より多くの第３の照明ユニット１２を有するのがより良好であるが、少なくとも２つの第３の照明ユニット１２を支持し、同様に基本３次元物体２又はこの物体に機械的に固着した部品に取り付けられる。
【００３５】
別の好ましい実施形態では、第１の照明ユニット４、第２の照明ユニット９、第３の照明ユニット１２及び第４の照明ユニット２２の照明源は、発光ダイオード（ＬＥＤ）であるか、多数のＬＥＤ及び適切な照明光案内系から構成することができる。
【００３６】
更に別の好ましい実施形態では、少なくとも１つの第３のアーム１３は、より多くの取得要素１４を有するのがよりよいが、少なくとも２つの取得要素１４を支持し、３次元物体２又はこの物体に機械的に固着した部品に接続され、取得要素１４は、検出器及び／又はカメラから構成される。
【００３７】
第１のアーム７の種類の１つ又は複数のアームは、デバイス内に存在することができ、これらのアームは、取得系上での撮像に寄与する様々な種類の光学要素１１を支持することができる。これらのアームは、デバイス内の第２のアーム８及び第３のアーム１３の１つ又は複数の種類であってもよい。個々のアームの数に対する制限要素は、形状の設計、個々のアームの現在の位置に対する配置及び制御であり、これらのアームが、デバイスの空間内で互いに衝突しないようにする。
【００３８】
第１の照明ユニット４又は第２の光案内系２１の出口アパーチャが接続される基本３次元物体２の凹形壁３の形状は、最も一般的には、球面の一部に近い。基本３次元物体２の他の部品の形状は、任意の、概して対称的な形状とすることができ、この形状は、基本３次元物体２をデバイスの他の部品に取り付ける方法によって与えられる。本発明者等の特定のケースでは、基本３次元物体２は、山高帽に近似的な形状を有する。基本３次元物体２、したがって凹形壁３も同様に、開口を備えることが有利であり、開口は、第１の照明ユニット４、第２の照明光案内系２１の出口、及び３次元物体２に固着するあらゆる他の要素を、挿入、および組み付けるために使用することができる。しかし、これらの要素の全てを内側から凹形壁３に直接取り付けることができる場合、開口は必要ではない。
【００３９】
第１のアーム７、第２のアーム８及び第３のアーム１３は、最も一般的には、丸みのある形状を有し、わずかな凹みを有する基本３次元物体２の形状に近似する一方で、基本３次元物体２に面するこれらのアームの表面は、基本３次元物体２の表面よりも著しく小さい。基本３次元物体２が半球の一部の形状を有し、回転軸６が有利なバージョンではこの半球の回転対象軸と同一である場合、アームが、子午線平面の１つにある長手方向軸と近似的な曲線形状を有することが有利であり、本文の意図としては、子午線平面とは、回転軸６がある平面である。アーム７、８、１３が基本３次元物体２の外側にある場合、これらのアームの表面の半径は、基本３次元物体２の曲率半径よりも大きく、アーム７、８、１３が基本３次元物体２の内側にある場合、これらのアームの表面の半径は、基本３次元物体２の曲率半径よりも小さい。図１に示す座標内の半径ベクトルｒの方向において、アームは、単純な長方形外形を有することができるが、アームの剛性を増大させるため、Ｌ字、Ｕ字若しくはＣ字外形又は例えば薄肉中空外形等、より良好に補強された形状を使用することが最良である。軸６に直交する方向において、アームは、図５ａのアームの例で示すように、その全長に沿って一定の外形幅を有することができるか、又は図５ｂのアームの例で示すように、軸６から離れる方向でアームの幅を変化させる、通常は、増大させることができる。
【００４０】
取得系上の撮像に寄与する光学要素１１、第２の照明ユニット９、第１の照明光案内系の出口アパーチャ、第３の照明ユニット１２及び取得要素１４は、アーム上に、個々の列で長手方向、即ち、子午線平面に配置するか、又は様々な線に対応する複数列で配置することができ、取得系上の撮像に寄与する光学要素１１、第２の照明ユニット９、第１の照明光案内系の出口アパーチャ、第３の照明ユニット１２及び取得要素１４の距離は、最良のケースでは規則的であるが、これらを方向及び距離の両方において不規則に配置することも可能である。
【００４１】
上述した、基本３次元物体２の回転軸６回りの回転である第１の運動に対し、基本３次元物体２に接続する基準座標系に向かうアーム７及び／又は８及び／又は１３の運動が追加される。
【００４２】
基本３次元物体２が半球に近似的な形状を有する有利なバージョンでは、アーム７、８、１３の運動は、それらの長手方向軸が３次元物体２の子午線平面内で全体的な運動を行うようなものである。
【００４３】
図１に示す適切な適用例の１つでは、取得系上の撮像に寄与する少なくとも２つの光学要素１１は、第１のアーム７上にある一方で、これらの光学要素は、群（ペリスコープ系若しくは撮像バンドルのレンズ、ミラー若しくはプリズム部品）からの要素又は第２の照明ユニット９及び／又は第１の光案内系の出口アパーチャのいずれかとすることができる。特定の種類の光学要素１１は、詳細に図示しない。要素１１を組み付ける開口は、相互角度距離εを有する。取得系上の撮像に寄与する要素１１は、異なる天頂角θ下でサンプルを同時に観察する。サンプルは、１つ若しくは複数の第１の照明ユニット４又は第２の照明ユニット９又は第３の照明ユニット１２、又は第１の照明光案内系若しくは第２の照明光案内系２１の１つ若しくは複数の出口アパーチャによって、事前構成した照明方向で照明される。第１の照明ユニット４、又は第２の照明光案内系２１の出口アパーチャが回転基本３次元物体２に固着し、サンプル１の照明及び取得方向θ、φに対する有限数の離散値の組合せのみを得ることを可能にする状況と比較した場合、取得系上の撮像に寄与する光学要素１１を第１の可動アーム７上に配置し、アーム７と基本３次元物体２との運動の組合せにより基本３次元物体２に対して個々の運動を実施することは、あらゆる他の角度の組合せによって、サンプル照明方向とデータ取得方向との組合せに対する最初の固定数の離散値を補い、これにより、方向解像度を増大させる。即ち、測定データの角度θｎ、φｎ及びθｍ、φｍの最も近い位置の間の角度値θｎ−θｍ及びφｎ−φｍを任意の小さい値まで低減することが可能である。同じ原理は、照明ユニット４又は第２の照明光案内系２１の出口アパーチャの場合にも使用することができる。第１のアーム７上の第２の照明ユニット９若しくは第１の照明光案内系の出口アパーチャ、又は第２のアーム８上の第３の照明ユニット１２等の他の光源の配置は、アーム７、８が基本３次元物体２に対して個々の線形又は円形運動を実施する場合、サンプルの照明方向とあらゆる他の角度の組合せとの組合せの離散数値を拡張することを可能にし、これにより、取得データの方向解像度を増大させる。あらゆる角度の組合せθ及びφを達成するため、個々のアームの運動範囲を基本３次元物体２の空間全体で実施する必要はないが、取得系上の撮像に寄与する個々の光学要素１１の間の角度距離ε、又は個々の照明ユニット１２の間の類似する角度距離の範囲内で実施すれば十分である。
【００４４】
制御される基本３次元物体は、測定サンプル１の表面１．１の上で軸６回りに回転する一方で、測定表面１．１の中心部は、例えば図６からわかるように、位置Ｓに位置する。取得系上の撮像に寄与する要素１１は、次に説明するケースでは、ミラーを使用して実装され、ミラーは、サンプルから、第１のアーム７の外側に位置する光学系の他の部品、更にはカメラ及び／又は検出器に照明を反射する。基本３次元物体２の軸６回りの制御運動と、第１のアーム７の運動との組合せを使用すると、サンプル１のあらゆるデータ取得方向からサンプル１の表面１．１の記録を得ることが可能である。
【００４５】
代替的に、同様に移動し、サンプル照明の他の方向を達成するように使用される第２のアーム８を実装することも可能である。個々のアーム７、８、１３は、様々な種類の運動を実施することができる。
【００４６】
本発明の本質を使用する、デバイスの特定の例を図３に概略的に示す（即ち、本発明の本質とは、取得系上の撮像に寄与する光学要素１１の部品上での２つの個々の運動である。１つの運動は、一部半球形状である基本３次元物体２によって実現され、第１のアーム７による第２の運動は、円形、直線又はより複雑な軌道に沿って運動する）。第１のアーム７、第２のアーム８及び第３のアーム１３の可能な運動の一例を示す。選択した運動範囲における角度θ及びφという所与の組合せに対する、サンプル１からのデータ取得方向のあらゆる組合せを達成するため、デバイスは、角度θ及びφの所与の組合せの位置に対し、取得系上の撮像に寄与する光学要素１１の少なくとも１つの位置の設定を可能にしなければならない。角度方向φでサンプル１の表面１．１からのデータ取得方向を設定する運動範囲は、０から２πであり、この角度のあらゆる値を達成することが可能である。角度範囲０〜θmaxにある角度方向θでサンプルから１のデータ取得のあらゆる組合せを達成するため、角度方向θでのアーム７のあらゆる運動の運動範囲は、取得系上の撮像に寄与する２つの隣接する光学要素１１の間の少なくとも角度距離εに等しく、この角度距離εは、軸６を通過する平面で測定される。そのような場合、取得系上の撮像に寄与する２つの隣接する光学要素１１は、角度方向θでの軸６回りの回転の使用が可能なことにより、サンプル１に向かって同じ角度位置θ及びφに到達する。アーム７の運動範囲をより小さくすることもできる。しかし、取得方向の設定に対し冗長性を達成すること、したがって、アーム７の運動範囲を、少なくとも角度距離範囲ε内の角度方向θで実施することが有利である。
【００４７】
個々のアーム７、８、１３によって実現される運動は、通常、単純な回転運動（図１のアーム７の円形の案内）であるか、又は線形運動であるか、又はアームの平面内での全体運動を生成する組合せ（図３のアーム７の運動）であるか、又は空間内での全体運動を生成する組合せ（図３のアーム８の運動）である。個々のアーム７、８及び１３の運動は、少なくとも１つの第２のモータ１７、少なくとも１つの第３のモータ１８及び少なくとも１つの第４のモータ１９のそれぞれによって実施され、これらのモータは、制御ユニット２０によって制御され、サンプル１を照明する第１の照明ユニット４又は第２の照明ユニット９又は第３の照明ユニット１２又は第４の照明ユニット２２、及び取得要素１４からのデータ取得の制御と同期される。
【００４８】
より複雑な運動、例えば、図３における第２のアーム８の運動の場合、個々のアーム７、８及び１３は、多数のモータによって作動することもできる。図３では、第３のモータ１８の１つのみがアーム８の隣に見えるが、実際には、所与の運動には２つの第３のモータ１８が必要であり、２つ目の第３のモータ１８は、図では見えない。
【００４９】
サンプル１の照明方向とサンプル１からのデータ取得方向との新たな組合せは、アーム７の運動及び基本３次元物体２の軸６回りの運動と組み合わせた、第２のアーム８の適切な運動を通じて得ることができる。より多くの第１のアーム７がデバイス内にある場合、これらの使用により、より短い測定時間で同じ測定データ・セットを得ることが可能である。第３のアーム１３が、共通のカメラ又は検出器とは異なる種類の取得要素１４を含む場合、サンプルについてのより多くのデータ、例えば、表面反射率のスペクトル関数を得ることが可能である。わずかな変更、例えば、異なる波長の帯域フィルタの使用があってもよく、この場合、撮像系又は取得系の変更があるが、取得系は、アーム７のケースと同じであってもよい。
【００５０】
図１、図２、図３及び図４に示すデバイスの基本構成では、軸６は、サンプル表面に近似する平面に直交する。したがって、デバイスは、固定カメラを備え、この固定カメラは、移動アーム上に位置せず、常に、軸６の方向でサンプルの視野を仲介する。このカメラは、例えば、自動平行化原理の使用と共に、静置サンプルに向けて可搬デバイス全体を調節するために使用される。
【００５１】
デバイスの代替バージョンは、図７の右側による構成であり、軸６は、サンプル１の表面の平面に直交しない。そのような場合、基本３次元物体２は、１つの軸６回りの回転を実施するだけでなく、測定サンプル１の表面上で交差する２つの軸回りの歳差運動も実施する。そのような解決策の利点は、基本３次元物体２のサイズを、近似半球形状から、角度ωによって与えられる一部球体区分形状に低減することが可能であることであり、これにより、歳差運動軸の両方を形成し、これにより、デバイスの質量を低減する一方で、サンプル１の照明方向とサンプル１からのデータ取得との全ての組合せに対するデータの取得を依然として可能にする。
【００５２】
デバイスの別の代替バージョンは、図７の左側による構成であり、基本３次元物体２は、軸６回りに回転するだけでなく、サンプルに直交する２つの平行軸回りにも回転し、したがって、基本３次元物体２は、サンプル１の表面上で遊星運動を実施する。この解決策の利点は、サンプル１に対する照明とデータ取得方向との組合せ数の増加に加えて、基本３次元物体２が小半径の曲率を有する小型バージョンのデバイスの場合でさえ、サンプル表面のより大きな部分の撮像が可能であることである。デバイスの制御ユニットは、対応するＳＷ及びＨＷを備えるあらゆるコンピュータ系とすることができ、検出器及びカメラからのデータを撮像し、照明ユニットをオフ・オンし、個々の作動器の移動を実施する。実用的な理由で、コンピュータ系を、基本産業コンピュータと、個々の機能要素及び適切な通信プロトコル上での相互通信を制御するいくつかのマイクロコンピュータとの間で分割することが好適である。図６に示す本発明者等が実施したデバイスの試作品では、制御のため、産業コンピュータに加えて１４５のマイクロコンピュータを使用した。デバイスからの測定データは、測定中、又は測定完了後の後処理期間中に処理した。
【００５３】
図１は、サンプル１、基本３次元物体２、サンプル１に面する物体２の凹形壁３、回転軸６を有する回転部品１５、デバイス枠３０に接続した、基本３次元物体２を位置決めする第１のモータ１６、及び取得系上の撮像に寄与する光学要素１１の組み付け位置を有する可動アーム７を示す。取得系上の撮像に寄与するこれらの光学要素１１は、通常、レンズであるか、又は撮像バンドル等の他の光学要素、ミラー若しくはプリズム等のペリスコープ系の光学要素であり、これらの要素は、取得系上での撮像を仲介する。これらの光学要素１１は、通常、カメラ又は他の照明検出器であり、デバイス枠３０上、基本３次元物体２に機械的に固着した部品上、又は更に移動アーム７上に置くことができ、移動アーム７は、第２のモータ１７に機械的に接続し、更に第２のモータ１７によって駆動される。これらの配置の一部に対する選択の適合性は、基本３次元物体２のサイズの比率、取得系上の撮像に寄与する要素１１のアパーチャの中心の角度距離、及び検出器の横断サイズに応じる。所与のサイズの基本３次元物体２において、取得系上の撮像に寄与する要素１１のアパーチャに必要な数がアーム７に適合する場合、適切な解決策は、取得要素をアーム７上に置くことである。この条件に合致しない場合、取得系上の撮像に寄与する光学要素１１のみ（例えば、照明光学機器バンドルを有するマイクロレンズ）を、著しく小さい横断寸法でアーム７上に置くことが適切であり、実際の検出器／カメラは、移動アーム７の外側に置かれる。同じ条件は、第１の照明ユニット４にも有効である。第１の照明ユニット４の大きな横断寸法のために、基本３次元物体２の寸法が、第１の照明ユニット４を、所望の小さな相互距離で基本３次元物体２上に適切に配置できない場合、適切な解決策は、基本３次元物体２の外側に第４の照明ユニット２２を置き、例えば第２の照明光案内系２１の適切な光学機器バンドルを使用して、照明バンドルのみを凹形表面３の適切な位置にもたらすことである。したがって、小型デバイスであっても、理論的には、サンプルの照明方向とサンプルからのデータ取得との様々な組合せから生じた無数の相互に異なる画像を得ることができる。
【００５４】
モータ１７、１８及び１９は、直接又は他の部品を通じて基本３次元物体２に機械的に接続される。他のモータとは異なり、第１のモータ１６は、直接又は他の部品を通じて枠３０に機械的に接続され、基本３次元物体２がこの枠３０に対して回転できるようにする。
【００５５】
アーム７、８及び１３は、直接又は他の部品を通じて基本３次元物体に接続することもできる。
【００５６】
単純にするため、多くの様式で実施し得る回転部品１５と基本３次元物体２との間の接続は、図１に示さない。
【００５７】
図２は、アーム７の２つの末端位置の一例を示し、これらの２つの末端位置の間の移動長さは、アームの運動方向での取得系上の撮像に寄与する光学要素１１の出口アパーチャの中心の間の距離よりも長い。
【００５８】
図３は、デバイスの一実施形態の一例を示し、取得系上の撮像に寄与する光学要素１１は、サンプル１の表面１．１上の点Ｓからより大きな距離を有する。図３は、サンプル１、その測定表面１．１、基本３次元物体２、サンプル１の方向で凹形である基本３次元物体２の凹形壁３、回転軸６を有する回転部品１５を示す。デバイス枠３０に接続する第１のモータ１６は、基本３次元物体２を軸６回りに回転させる。図３は、可動である第１のアーム７も示し、取得系上の撮像に寄与する光学要素１１の組み付け位置を第１のアーム７の中に見ることができる。これらの要素は、通常、レンズであるか、又は撮像バンドル等の他の光学要素、ミラー若しくはプリズム等のペリスコープ系の光学要素であり、これらの要素は、取得系上での撮像を仲介する。これらの要素は、通常、カメラ又は他の照明検出器であり、限られたサイズのデバイスにおいて、取得系上の撮像に寄与する要素１１と共に可動アーム７上に置くことができる。
【００５９】
この基本構成は、第３の照明ユニット１２を置く位置を有する第２のアーム８によって補足することができる。第２のアーム８は、第２のアーム８を駆動する第３のモータ１８に機械的に接続される。アーム７の位置決め及び軸６回りの位置決めと組み合わせて、このアーム８を適切に配置すると、サンプル１の照明方向とサンプル１からのデータ取得との新たな組合せを得ることが可能である。更に、この基本構成は、取得要素１４を有する第３のアーム１３によって補足することができる。この第３のアーム１３は、直接又は他の部品を通じて、第３のアーム１３を位置決めする第４のモータ１９に機械的に接続される。アーム７及びアーム８の位置決め、及び軸６回りの位置決めと組み合わせて、この第３のアーム１３を適切に位置決めすると、サンプル１の照明方向とサンプル１からのデータ取得との新たな組合せを得ることが可能である。
【００６０】
図３のモータ１６、１７、１８、１９及びアーム７、８、１３の取り付けは、図１で説明したものと類似する。図４の左部分は、個々の要素の規則的な格子状のアパーチャ内の第１の照明ユニット４の分布を示し、基本３次元物体２の表面にわたり、アパーチャに可変密度をもたらす。第１の照明ユニット４の分布の一例は、個々の要素のアパーチャの不規則な距離Ｌ±ｄＬを有し、基本３次元物体２の表面上にほぼ一定の平面密度のアパーチャをもたらすことが図４の右部分からわかる。要素の不規則な分布は、格子状要素、例えば第１の照明ユニット４と、格子状データ測定位置との間の干渉を抑制するため、最良に使用される。
【００６１】
図５の左側は、アーム（７、８、１３）のいずれかに使用し得るアームの典型的な実装を示し、取得系上の撮像に寄与する個々の光学要素１１のアパーチャ、第２の照明ユニット９、又は第１の照明光案内系の出口アパーチャは、アーム上で規則的な位置の距離を有する。図５の右側は、アーム（７、８、１３）のいずれかに使用し得る別の典型的なアームの一例を示し、取得系上の撮像に寄与する個々の光学要素１１のアパーチャ、又は第２の照明ユニット９、又は第１の照明光案内系の出口アパーチャは、アーム上で不規則的な距離を有する。アームに沿ったアパーチャの規則的な配置の利点は、単純な製造及び測定の実施である。欠点は、図４の左側からわかるように、回転軸６からの角度θがより大きな値のため、測定データの密度がより低いことである。この事実は、アームの例からわかるように、要素の多数のアパーチャを、より大きな角度θで、不均一な構成のアパーチャで配置することによって補償することができる。図５の右側は、可動アーム上への第２の照明ユニット９のアパーチャの現在の配置の一例であり、取得系上の撮像に寄与する個々の光学要素１１のアパーチャを伴う。目に見えるアパーチャは、第２の照明ユニット９、又は第１の照明光案内系の出口アパーチャの配置に対する自由位置を表す。この配置は、アームが外側から基本３次元物体２に接続される場合、適している。この場合、基本３次元物体２内に、アーム軸に沿った長手方向の細穴がなければならず、第１の照明ユニット４をこの開口領域に置くことはできない。アームを基本３次元物体２の内側から固着する場合、図３の第２のアーム８の例からわかるように、このアームは、第１の照明ユニット４の一部を覆う。第１のアーム７は、図３の第２のアーム８と同様の配置を有することもできる。第１のアーム７の配置の両方のケースにおいても、取得系上の撮像に寄与する要素１１のアパーチャの近傍方向からの照明の間、第１の照明ユニット４がこれらの方向にないため、サンプルの測定でデータが失われる。したがって、第２の照明ユニット９、又は少なくとも第２の照明光案内系２１からのバンドルの出口アパーチャを第１のアーム７上に置くことが適切である。
【００６２】
図６は、実装したデバイスの写真であり、概略図の参照番号に対応する実際の要素：基本３次元物体２、及びサンプル１に面して凹形に湾曲した物体２の凹形壁３、第１の照明ユニット４、回転軸６、第１のアーム７、取得系上の撮像に寄与する要素１１、Ｓ−サンプル１の予想される表面１．１との回転軸６の交差点を示す。
【００６３】
図７は、サンプル１に向かう基本３次元物体２の運動構成の２つの代替変形形態を示し、基本３次元物体２は、複合運動を実施する。図の左側は、基本３次元物体２の遊星運動の一例であり、サンプル１に直交する軸６回りに回転するだけでなく、この軸は、距離ｅで軸６に平行な別の軸の回りにも回転する。図の右側は、基本３次元物体２の歳差運動の一例であり、軸６回りに回転するだけでなく、この基本３次元物体２は、基本３次元物体２と角度ωを形成する別の軸回りにも回転し、これらの交差点は、サンプル１の表面上で見いだされる。
【００６４】
説明した提案によるデバイスは、容易に持ち運べ、現場及び野外での使用を可能にする質量及び寸法で実施することができる。実施した変形形態のうち２つは、取得系上の撮像に寄与する光学要素１１の出口アパーチャを有し、出口アパーチャは、第１のケースでは、サンプル１の中心から約２５０ｍｍの距離で置かれ、第２のケースでは、サンプルの中心から１６０ｍｍの距離で置かれる。これらの変形形態は、図３に従ったバージョンで実施することができる。取得系上の撮像に寄与する光学要素１１のアパーチャが、１００ｍｍ以下の距離にある場合、図１による変形形態を使用する。特定の変形形態のうち最大のものは、約１２ｋｇの総重量を有し、より小型の変形形態では、重量は著しくより少ない。
【産業上の利用可能性】
【００６５】
相互に固着した照明ユニット又は検出器を使用して、サンプルの照明方向とサンプルからのデータ取得方向との角度の組合せの中間位置を得るという、提示した原理を使用する可搬デバイスは、産業適用性を有する。というのは、撮像デバイスは、様々な照明及び監視方向で表面を監視する視覚検査に代わり、コンピュータ・グラフィックスの３Ｄモデリングのフレームワーク及び物体の表現、表面の品質管理、並びに上述の特性を使用し得る他の領域、即ち、材料の外観を特徴付け、保護する必要がある場所、例えば、文化遺産人工物を保護する領域に適用されるためである。測定静置サンプルからＢＴＦデータを得る他の既存の方法と比較した本発明の解決策の主な利点は、照明方向、及びサンプルからの反射光の取得方向を倍増させることによって、サンプルの照明方向とサンプルからのデータ取得方向との必要な数の組合せを取得する時間を短縮すること、並びに主に、サンプル表面の外観の取得のために可搬測定デバイスを実施できると、サンプルの現場での測定を可能にすることである。
【００６６】
所与の手法に対する使用は、コンピュータ・グラフィックス、光学的記録、及び様々な種類のサンプルに対するデータ再構成の分野で見いだすことができ、実際の物体の表現を、例えば、考古学、生物学、美術、３Ｄ  ＴＶ、表面の質の評価及びその修正、コンピュータ・ビジョンでの材料の検出及び分類を含む３Ｄ仮想現実、並びに他の用途で適用することが可能である。
【符号の説明】
【００６７】
１  サンプル
１．１  サンプル表面
２  基本３次元物体
３  （サンプル１に面する側で凹形に湾曲した基本３次元物体２の）凹形壁
４  第１の照明ユニット
６  （回転部品１５及び基本３次元物体２の）回転軸
７  第１のアーム
８  第２のアーム
９  第２の照明ユニット
１１  取得系上の撮像に寄与する光学要素
１２  第３の照明ユニット
１３  第３のアーム
１４  取得要素
１５  回転部品
１６  第１のモータ
１７  第２のモータ
１８  第３のモータ
１９  第４のモータ
２０  制御ユニット
２１  第２の照明光案内系
２２  第４の照明ユニット
３０  枠
【図１】
2020501136.tif 000003
【図２】
2020501136.tif 000004
【図３】
2020501136.tif 000005
【図４】
2020501136.tif 000006
【図５】
2020501136.tif 000007
【図６】
2020501136.tif 000008
【図７】
2020501136.tif 000009
【国際調査報告】
2020501136.tif 000010
2020501136.tif 000011